(57)【要約】【課題】フェライトコアの状態を簡単に確認することを目的とする。【解決手段】電線Ｗの端部に取り付けられた端子金具１０と、前記端子金具１０を収容可能なキャビティ２１が設けられたコネクタハウジング２０と、前記キャビティ２１の内壁と前記電線Ｗとの間をシールするゴム栓４０と、前記電線Ｗを挿通可能な電線挿通孔７３を有し、前記ゴム栓４０を前記コネクタハウジング２０に対して抜け止めするリテーナ６０と、前記リテーナ６０の前記電線挿通孔７３の周縁部において前記キャビティ２１とは反対側に延伸し、かつ前記電線Ｗを挿通可能な挿通孔７７が設けられた延伸部７５と、前記延伸部７５の外周に装着されたフェライトコア８０と、前記フェライトコア８０の外周を囲うように装着されたカバー９０とを備える。【選択図】図４
2017059349.tif 000002
【特許請求の範囲】
【請求項１】
電線の端部に取り付けられた端子金具と、
前記端子金具を収容可能なキャビティが設けられたコネクタハウジングと、
前記キャビティの内壁と前記電線との間をシールするゴム栓と、
前記電線を挿通可能な電線挿通孔を有し、前記ゴム栓を前記コネクタハウジングに対して抜け止めするリテーナと、
前記リテーナの前記電線挿通孔の周縁部において前記キャビティとは反対側に延伸し、かつ前記電線を挿通可能な挿通孔が設けられた延伸部と、
前記延伸部の外周に装着されたフェライトコアと、
前記フェライトコアの外周を囲うよう装着されたカバーとを備えるコネクタ。
【請求項２】
前記フェライトコアの端面と前記リテーナとの間には、防振ゴムが配されている請求項１に記載のコネクタ。
【請求項３】
前記カバーには、前記電線を挿通可能なカバー側電線挿通孔が設けられており、
前記延伸部の挿通孔の内径は、前記カバー側電線挿通孔の内径よりも大きくされている請求項１または請求項２に記載のコネクタ。
【発明の詳細な説明】
【技術分野】
【０００１】
本明細書に開示される技術は、コネクタに関する。
【背景技術】
【０００２】
自動車の車内配線などに用いられるコネクタにおいて、コネクタハウジング内に収容される電線の端部にフェライトコアを装着させることで、電線で送られる信号に載ったノイズを除去する方法が広く知られている。例えば、特開２０１５−３２５６０号公報（下記特許文献１）に開示されたフェライトコア内蔵防水コネクタでは、電線とコネクタハウジングとの間を水密状態にする一括ゴム栓の内部にフェライトコアを埋没している。
【先行技術文献】
【特許文献】
【０００３】
【特許文献１】特開２０１５−３２５６０号公報
【発明の概要】
【発明が解決しようとする課題】
【０００４】
しかしながら、特開２０１５−３２５６０号公報（上記特許文献１）の構成では、フェライトコアをインサートして一括ゴム栓を成形する際に、ゴムの射出圧でフェライトコアに破損が生じることがある。また、フェライトコアが埋没しているために、仮に破損していても、フェライトコアの状態を確認することができない。さらに、電線と密着する一括ゴム栓内にフェライトコアが埋没しているために、電線の振動の影響を受けやすくなる。
【課題を解決するための手段】
【０００５】
本明細書で開示されるコネクタは、電線の端部に取り付けられた端子金具と、前記端子金具を収容可能なキャビティが設けられたコネクタハウジングと、前記キャビティの内壁と前記電線との間をシールするゴム栓と、前記電線を挿通可能な電線挿通孔を有し、前記ゴム栓を前記コネクタハウジングに対して抜け止めするリテーナと、前記リテーナの前記電線挿通孔の周縁部において前記キャビティとは反対側に延伸し、かつ前記電線を挿通可能な挿通孔が設けられた延伸部と、前記延伸部の外周に装着されたフェライトコアと、前記フェライトコアの外周を囲うよう装着されたカバーとを備える。
【０００６】
このような構成によると、必要に応じてカバーを取り外すことで、簡単にフェライトコアの状態を確認することができる。また、フェライトコアと電線との間にリテーナの延伸部が配されているため、直接電線の振動の影響を受けることがなくなる。
【０００７】
本明細書に開示されるコネクタの実施の態様として、以下の構成としても良い。
前記フェライトコアの端面と前記リテーナとの間には、防振ゴムが配されている構成としても良い。
このような構成によると、フェライトコアとリテーナとの間に公差による隙間があっても、防振ゴムによってフェライトコアががたつくことなく収容される。また、フェライトコアとリテーナとの間は防振ゴムを介しての接触であるため、フェライトコアがリテーナに直接密接する場合に比べて、振動の影響を抑制することができる。
【０００８】
また、前記カバーには、前記電線を挿通可能なカバー側電線挿通孔が設けられており、前記延伸部の挿通孔の内径は、前記カバー側電線挿通孔の内径よりも大きくされている構成としても良い。
このような構成によると、延伸部の挿通孔の内面と電線との間にクリアランスが設けられ、延伸部に直接電線が触れなくなる。そのため、延伸部に電線の振動が伝わりにくくなり、延伸部を介してフェライトコアへ振動が伝わりにくくなる。
【発明の効果】
【０００９】
本明細書に開示されたコネクタによれば、フェライトコアの状態を簡単に確認することができる。
【図面の簡単な説明】
【００１０】
【図１】実施形態におけるコネクタの平面図
【図２】コネクタの側面図
【図３】コネクタの背面図
【図４】図１におけるＩＶ−ＩＶ断面における断面図
【図５】図１におけるＶ−Ｖ断面における断面図
【図６】リテーナの平面図
【図７】リテーナの側面図
【図８】リテーナの背面図
【図９】カバーの平面図
【図１０】カバーの背面図
【図１１】フェライトコアの背面図
【図１２】リテーナとフェライトコアとカバーとを互いに組み付ける前の状態を示す図５の断面に相当する位置での断面図
【発明を実施するための形態】
【００１１】
＜実施形態＞
本明細書に開示された技術における一実施形態について図１から図１２を参照して説明する。
本実施形態では、電線Ｗの端末に取り付けられたコネクタＣについて説明する。このコネクタＣは、図１から図５に示すように、端子金具１０と、端子金具１０を収容可能なキャビティ２１が設けられたコネクタハウジング２０と、コネクタハウジング２０のキャビティ２１と電線Ｗの間をシールするゴム栓４０と、コネクタハウジング２０を覆うシールドシェル５０と、ゴム栓４０を抜け止めするリテーナ６０と、フェライトコア８０と、フェライトコア８０の外周を囲うカバー９０とを備えている。なお、本実施形態において、前後方向については、図１及び図２における左右方向を基準とし、左側を前方とし、右側（電線Ｗ側）を後方とする。また、上下方向については図２を基準とし、ボルトＢが設けられている側を上方とする。
【００１２】
端子金具１０は、図４に示すように、相手方端子が接続される円筒状の接続部１１と、接続部の後方に設けられたバレル部１３とを備えている。バレル部１３は、電線Ｗにかしめ圧着されることで、端子金具１０と電線Ｗとを電気的に接続している。
【００１３】
コネクタハウジング２０は、図１から図５に示すように、横方向にやや幅広な略円柱状に形成されており、その内部には、図４に示すように、前後方向に延びるキャビティ２１が２つ並んで設けられている。各キャビティ２１には、端子金具１０が収容されている。
【００１４】
また、コネクタハウジング２０の外周の前後方向略中央部には、図４及び図５に示すように、径方向外側に向けて突出するフランジ部２３が全周に亘って周設されている。フランジ部２３の後方には、その上下に一対の弾性片２５が設けられており、一対の弾性片２５は、互いに近づく方向に弾性変位可能とされている。また、各弾性片２５の両側の後方には、後記するリテーナ６０のロック片６５と係合する係合突部２７が設けられている。係合突部２７は、弾性片２５よりもその長さが短くなっており、自然状態の弾性片２５よりも内側に設けられている。
【００１５】
コネクタハウジング２０には、図５に示すように、その後端面から前方に向かって、リテーナ６０の突出部６７を挿入可能なリテーナ装着穴２９が設けられている。リテーナ装着穴２９はコネクタハウジング２０の幅方向の略中央位置に上下方向に一対並ぶようにして設けられている。
【００１６】
キャビティ２１の後端部には、図４に示すように、リテーナ６０によって後方への抜け止めがされたゴム栓４０が電線Ｗに外嵌された状態で装着されている。ゴム栓４０は、各電線Ｗにそれぞれ装着されており、電線Ｗの外周面とキャビティ２１の内周面に密着することで、後方からキャビティ２１内への水等の浸入を抑制している。
【００１７】
シールドシェル５０は、図４及び図５等に示すように、アルミダイキャストによってほぼ均一の厚さ寸法に形成されており、図３に示すように、横方向に幅広な略円筒状をなしている。シールドシェル５０は、図４及び図５に示すように、その内周面が２段階に亘って縮径されており、この段差部分が段差面５１となっている。
【００１８】
そして、シールドシェル５０内には、コネクタハウジング２０が前方から収容可能とされており、コネクタハウジング２０がシールドシェル５０内における正規の位置まで収容されると、図５に示すように、コネクタハウジング２０のフランジ部２３がシールドシェル５０の段差面５１に前方から当接すると共に、コネクタハウジング２０の弾性片２５がシールドシェル５０を後方から係止した状態となる。これにより、シールドシェル５０がコネクタハウジング２０に抜け止めされた状態で保持される。
【００１９】
また、シールドシェル５０の上部には、図２及び図３に示すように、背面視略三角状の台座部５３が上方に突出した形態で設けられている。この台座部５３には、ボルトＢが台座部５３を前後方向に貫通した状態で保持されており、このボルトＢを相手方コネクタ側に設けられたボルト孔に締め込むことにより、コネクタＣと相手方コネクタとを正規に嵌合させつつ、相手側コネクタとシールドシェルとを電気的に接続する。
【００２０】
リテーナ６０は、図６から図８に示すように、合成樹脂製であって、コネクタハウジング２０の後端面に被せられる略平面長円形をなす基板部６１を有している。基板部６１の前面略中央位置から前方に向かって、上下に一対の撓み規制片６３が突設されている。この撓み規制片６３は、コネクタハウジング２０の弾性片２５の弾性変位を規制するためのもので、矩形状の平板形状となっている。
【００２１】
また、図６及び図７に示すように、各撓み規制片６３の幅方向両側から前方に向かって、平板状のロック片６５が突設されている。ロック片６５には、長孔６５Ａが設けられており、この長孔６５Ａの孔縁部に係合突部２７（図４参照）が係止可能とされている。さらに、各撓み規制片６３の上下方向の間でかつ基板部６１の中央位置からは、円筒状の突出部６７が前方に向かって上下方向に並ぶように一対突出している。突出部６７は、リテーナ６０の中で最も前方に突出している。突出部６７は、コネクタハウジング２０のリテーナ装着穴２９（図５参照）に挿入可能となっている。
【００２２】
また、リテーナ６０には、リテーナ６０とカバー９０との位置合わせをするためのリテーナ側位置合わせ部６９が設けられている。図８に示すように、リテーナ６０の基板部６１の上下方向の略中央位置には、後記するカバー９０の凹部９９Ａと係合可能な凸部６９Ａが上下方向にカバー９０の板厚とほぼ同じ高さ寸法で突出している。また、後記するリテーナ６０の延伸部７５の略中央位置から後方に向かって円柱状の円柱凸部６９Ｂが突出している。
【００２３】
図４及び図６に示すように、リテーナ６０の基板部６１から前方に向かって、ゴム栓４０を押さえ可能な円筒状のゴム栓押さえ部７１が設けられている。ゴム栓押さえ部７１は、キャビティ２１に後方から挿入可能で、ゴム栓４０を後方から押さえ付けるべく幅方向に一対並んで設けられている。なお、各ゴム栓押さえ部７１の上下には、それぞれロック片６５が配されている。また、各ゴム栓押さえ部７１の略中央位置には、前後方向に貫通し、電線Ｗを挿通可能な電線挿通孔７３が設けられている。電線挿通孔７３の内径は、電線Ｗの外径とほぼ同じとなっている。
【００２４】
図６及び図８に示すように、リテーナ６０の基板部６１において、一対の電線挿通孔７３の周縁部から後方に向かって延伸する延伸部７５が設けられている。延伸部７５は基板部６１とほぼ同形状の背面視略長円形の柱状をなしており、フェライトコア８０の厚み分基板部より小径となっている。また、延伸部７５の上下方向については、各ゴム栓押さえ部７１と最大寸法がほぼ同じ寸法で、延伸部７５の幅方向については、一対のゴム栓押さえ部７１の外側の位置とほぼ同じ位置となっている。また、延伸部７５には各ゴム栓押さえ部７１の各電線挿通孔７３から連通した挿通孔７７が前後方向に貫通するように幅方向に並んで一対設けられている。挿通孔７７は、図４に示すように、電線挿通孔７３の内径よりも拡径しており、電線Ｗの外面と挿通孔７７の内面との間にクリアランスが設けられている。そのため、挿通孔７７は、電線Ｗとあまり接触しない状態で、電線Ｗを挿通している。
【００２５】
リテーナ６０の基板部６１の後面で、延伸部７５の外周には、図４び図８に示すように、溝部７９が設けられている。溝部７９には、後記する防振ゴム８５を嵌め込み可能となっている。また、溝部７９には、防振ゴム８５を押さえるための突部７９Ａが設けられている。防振ゴム８５は、長円形のＯリング状をしており、溝部７９に嵌め込まれることで、リテーナ６０とカバー９０との間に収容されたフェライトコア８０のがたつきを抑制する。
【００２６】
延伸部７５の外側には、図４及び図５に示すように、フェライトコア８０が装着される。フェライトコア８０は、図１１に示すように、横方向に幅広な略円筒状をなしており、フェライトコア８０の内周形状は、図４及び図５に示すように、延伸部７５の外周形状とほぼ同一とされている。また、フェライトコア８０の前後方向の長さ寸法は、延伸部７５の前後方向の長さ寸法とほぼ同じとされている。したがって、フェライトコア８０は、延伸部７５の挿通孔７７内の電線Ｗを外側から覆うようにして電線Ｗの外周に全周に亘って配されている。
【００２７】
カバー９０は、図９及び図１０に示すように、横方向にやや幅広な有底筒状をなしており、円筒部９１と底部９３とを有している。円筒部９１の内周形状は、フェライトコア８０の外周形状とほぼ同一に設定されている。円筒部９１の後端縁には、底部９３が設けられており、底部９３は長円形の平板状となっている。また、底部９３には、電線Ｗを挿通可能なカバー側電線挿通孔９５が幅方向に一対並んで設けられている。カバー側電線挿通孔９５の内径は、電線Ｗの外径とほぼ同じとなっている。つまり、カバー側電線挿通孔９５の内径は、延伸部７５の挿通孔７７の内径より小さく、リテーナ６０の電線挿通孔７３の内径とほぼ同じとなっている。
【００２８】
カバー９０の円筒部９１の幅方向の両端部には、図９及び図１２に示すように、アーム部９７が一対向かい合うように設けられており、一対のアーム部９７は、互いに遠ざかる方向に弾性変位可能とされている。各アーム部９７の先端部は、円筒部９１よりも前方に突出しており、各アーム部９７の先端部には、それぞれ内側に向かって突出する係止爪９７Ａが設けられている。この係止爪９７Ａは、リテーナ６０の基板部６１の縁部に係止する。なお、フェライトコア８０の状態を確認する際には、このアーム部９７を治具などによって外側に弾性変形させることで、係止爪９７Ａの基端部６１への係止を解除し、カバー９０を後方に取り外すことができる。
【００２９】
カバー９０側にもリテーナ側位置合わせ部６９に対応して、カバー側位置合わせ部９９が設けられている。具体的には、図９及び図１２に示すように、カバー９０の円筒部９１の上下方向の略中央位置には、円筒部９１の前端縁が後方に凹んだ形状の凹部９９Ａが設けられている。リテーナ６０とカバー９０を組み合わせると、凸部６９Ａが凹部９９Ａに係合する。また、カバー９０の底部９３の略中央位置には、円柱凸部６９Ｂを挿通可能な位置合わせ孔９９Ｂが設けられている。
【００３０】
本実施形態は、以上のような構成であって、続いて、コネクタＣの組み立て手順の一例を簡単に説明すると共に、その作用および効果について説明する。
まず、図４及び図５を参照して、シールドシェル５０とコネクタハウジング２０の組み付けについて説明する。シールドシェル５０に対してコネクタハウジング２０を前方から挿入する。コネクタハウジング２０がシールドシェル５０内における正規の位置まで収容されると、コネクタハウジング２０のフランジ部２３がシールドシェル５０の段差面５１に前方から当接する。一方、コネクタハウジング２０の弾性片２５は、シールドシェル５０内を通過する間は内側（弾性片２５同士が近づく側）に弾性変形しており、コネクタハウジング２０が正規の位置まで収容されると、弾性片２５が弾性復帰し、シールドシェル５０を後方から係止した状態となる。このようにして、シールドシェル５０がコネクタハウジング２０に抜け止めされた状態で保持される。
【００３１】
一方では、図１２に示すように、リテーナ６０とフェライトコア８０とカバー９０とが組み付けられる。リテーナ６０の溝部７９に防振ゴム８５（図５参照）が嵌められる。そして、リテーナ６０の延伸部７５の外周に後方からフェライトコア８０が装着される。この状態で、後方からカバー９０が組み付けられる。カバー９０のアーム部９７がリテーナ６０の基板部６１に当接すると、アーム部９７が外側に弾性変形して基板部６１を乗り越えて、係止爪９７Ａが基板部６１の縁部に係止する。この際に、凹部９９Ａに凸部６９Ａが係合することで、カバー９０がリテーナ６０に対してそれ以上前方に移動するのを規制する。また、円柱凸部６９Ｂが位置合わせ孔９９Ｂに挿通することで、カバー９０がリテーナ６０に対して上下左右方向に移動するのを規制する。
【００３２】
そして、リテーナ６０とカバー９０との間に収容されたフェライトコア８０は、図５に示すように、フェライトコア８０の前端面が防振ゴム８５に密接し、かつ、フェライトコア８０の後端面がカバー９０の底部９３の内面と当接する。このように、カバー９０と防振ゴム８５との間に挟まれることで、フェライトコア８０はリテーナ６０に対する前後方向への移動が規制される。また、フェライトコア８０の内周面は延伸部７５の外周面とほぼ同じ形状であり、フェライトコア８０の外周面は円筒部９１の内周面とほぼ同じ形状であることから、フェライトコア８０のリテーナ６０に対する径方向への移動も規制される。また、フェライトコア８０の外周面は円筒部９１によって覆われ、フェライトコア８０の前面はリテーナ６０の基板部６１に覆われ、フェライトコア８０の後面は底部９３に覆われる。このようにして、フェライトコア８０が露出しない状態でかつリテーナ６０に対する移動が規制されて、リテーナ６０とフェライトコア８０とカバー９０とが組み付けられる。
【００３３】
次に、端子金具１０が接続された２本の電線Ｗに対して、組み付けられた状態のリテーナ６０とフェライトコア８０とカバー９０が一括して先通しされ、各ゴム栓４０がそれぞれの電線Ｗに対して先通しされる。そして、これらの電線Ｗの端部に取り付けられた各端子金具１０を後方からコネクタハウジング２０のキャビティ２１に挿入する（図４参照）。これにより、端子金具１０がコネクタハウジング２０のキャビティ２１内において保持される。そして、電線Ｗに先通しした各ゴム栓４０をキャビティ２１内に後方から挿入して所定位置に押し込むことで、電線Ｗとキャビティ２１との間をシールする。
【００３４】
そして、ゴム栓４０を抜け止めするためにカバー９０等が組み付けられたリテーナ６０をコネクタハウジング２０に組み付ける（図５参照）。まず、一対の突出部６７を対応するリテーナ装着穴２９に挿入し、続いて各ゴム栓押さえ部７１を各キャビティ２１内に挿入する（図４及び図５参照）。すると、各ゴム栓押さえ部７１が各ゴム栓４０に後面から接触すると同時に、図５に示すように、一対の撓み規制片６３が、コネクタハウジング２０における弾性片２５の撓み空間内にそれぞれ進入し、各弾性片２５の弾性変位が規制される。また、図４に示すように、ロック片６５がコネクタハウジング２０とシールドシェル５０の間に進入して、長孔６５Ａに係合突部２７が係合する。このようにして、リテーナ６０がコネクタハウジング２０に対して組み付けられる。
【００３５】
リテーナ６０がコネクタハウジング２０に対して組み付けられると、リテーナ６０に対して予めフェライトコア８０とカバー９０とが組み付けられていることから、フェライトコア８０とカバー９０もコネクタハウジング２０に対して正規に組み付けられる。このようにして、コネクタＣの組み立てが完了する。コネクタＣの組み立てが完了すると、延伸部７５の外周に装着されたフェライトコア８０が電線Ｗの外側に全周に亘って配され、電線Ｗにおける高周波領域のノイズをフェライトコア８０によって除去することができるようになる。
【００３６】
また、コネクタＣの組み付けが完了した状態では、図４に示すように、電線Ｗはリテーナ６０の電線挿通孔７３の内周面とカバー９０のカバー側電線挿通孔９５の内周面とによって保持され、延伸部７５の挿通孔７７の内周面とはほとんど接触しない状態とされる。カバー側電線挿通孔９５の内周面で電線Ｗが保持されているために、電線Ｗを伝わる振動はカバー側電線挿通孔９５より前方には伝わりにくくなり、電線Ｗが大きく振動しないために挿通孔７７の内周面に触れにくくなる。そのため、延伸部７５に電線Ｗからの振動が伝わりにくいため、フェライトコア８０に振動が伝わりにくくなる。
【００３７】
以上のように、本実施形態のコネクタＣによると、カバー９０が別部品であるため、必要に応じてカバー９０を取り外すことで、簡単にフェライトコア８０の状態を確認することができる。つまり、リテーナ６０に装着前の段階でフェライトコア８０の状態を確認することができ、装着後であってもアーム部９７を弾性変形させリテーナ６０への係止状態を解除してカバー９０を後方に取り外すことで、フェライトコア８０の状態を容易に確認することができる。また、フェライトコア８０と電線Ｗとの間にリテーナ６０の延伸部７５が配されているため、直接電線Ｗの振動の影響を受けることがなくなる。
【００３８】
また、フェライトコア８０の端面とリテーナ６０（基板部６１）との間には、防振ゴム８５が配されている。そのため、フェライトコア８０とリテーナ６０との間に公差による隙間があっても、防振ゴム８５によってフェライトコア８０ががたつくことなく収容される。また、フェライトコア８０とリテーナ６０との間は防振ゴム８５を介しての接触であるため、フェライトコア８０がリテーナ６０に直接密接する場合に比べて、振動の影響を抑制することができる。
【００３９】
さらに、カバー９０には、電線Ｗを挿通可能なカバー側電線挿通孔９５が設けられており、延伸部７５の挿通孔７７の内径は、カバー側電線挿通孔９５の内径よりも大きくされている。そのため、延伸部７５の挿通孔７７の内面と電線Ｗとの間にクリアランスが設けられ、延伸部７５に直接電線Ｗが触れなくなる。そのため、電線Ｗの振動が延伸部７５に伝わりにくくなり、延伸部７５を介してフェライトコア８０へ振動が伝わりにくくなる。
【００４０】
＜他の実施形態＞
本明細書で開示される技術は上記記述及び図面によって説明した実施形態に限定されるものではなく、例えば次のような種々の態様も含まれる。
（１）上記実施形態では、延伸部７５、フェライトコア８０、カバー９０を横方向に幅広な略円筒状に構成した。しかしながら、これに限らず、これらの部材を真円筒状や角筒状に構成してもよい。
（２）上記実施形態では、延伸部７５及びフェライトコア８０を２本の電線Ｗに対して一括で設けていたが、それぞれの電線Ｗに対して設けても良い。
【００４１】
（３）上記実施形態では、シールドシェル５０を設けていたが、シールドシェルを設けなくても良い。
【００４２】
（４）上記実施形態では、カバー９０とリテーナ６０とを組み付けたうえで、リテーナ６０をコネクタハウジング２０に対して係止していたが、コネクタハウジングとカバーとを係止するようにしても良い。
【００４３】
（５）上記実施形態では、カバー９０がフェライトコア８０の外周面と後面の全体を覆っていたが、全体ではなくそれぞれの一部を覆うようにしても良い。
【００４４】
（６）上記実施形態では、カバー側電線挿通孔９５の内径を電線Ｗの外径とほぼ同じにして、電線Ｗがカバー側電線挿通孔に保持されるようにしていたが、カバー側電線挿通孔の内径を電線Ｗの外径よりも大きくしてクリアランスを設けるようにしても良い。
【００４５】
（７）上記実施形態では、延伸部７５の挿通孔７７の内径を電線Ｗの外径よりも大きくしてクリアランスができるようにしていたが、挿通孔の内径と電線の外径とがほぼ同じであっても良い。
【００４６】
（８）上記実施形態では、防振ゴム８５をリテーナ６０とフェライトコア８０との間に配していたが、フェライトコア８０とカバー９０との間に配しても良い。また、防振ゴムをなくしても良い。
【００４７】
（９）上記実施形態では、リテーナ６０とフェライトコア８０とカバー９０とを予め組み付けてから、電線Ｗに対して先通ししたが、それぞれを電線Ｗに先通ししてから組み付けても良い。
【００４８】
（１０）上記実施形態では、リテーナ６０及びカバー９０は先通されるようにしたが、リテーナとカバーを分割構造にして、電線Ｗに後から組み付けても良い。
【００４９】
（１１）上記実施形態では、リテーナ６０及びカバー９０は別部品とされていたが、カバーが分割構造であって、リテーナの端部にヒンジを介してリテーナと一体化されることで、フェライトコアを装着した後からカバーを装着できるようにしても良い。
【００５０】
（１２）上記実施形態では、リテーナ６０に対してカバー９０を係止するようにしたが、カバーとリテーナをそれぞれコネクタハウジングに対して係止するようにしても良い。
【符号の説明】
【００５１】
１０…端子金具
２０…コネクタハウジング
２１…キャビティ
４０…ゴム栓
５０…シールドシェル
６０…リテーナ
６１…基板部
６９…リテーナ側位置合わせ部
６９Ａ…凸部
６９Ｂ…円柱凸部
７１…ゴム栓押さえ部
７３…電線挿通孔
７５…延伸部
７７…挿通孔
７９…溝部
８０…フェライトコア
８５…防振ゴム
９０…カバー
９１…円筒部
９３…底部
９５…カバー側電線挿通孔
９７…アーム部
９７Ａ…係止爪
９９…カバー側位置合わせ部
９９Ａ…凹部
９９Ｂ…位置合わせ孔
Ｃ…コネクタ
Ｗ…電線
【図１】
2017059349.tif 000003
【図２】
2017059349.tif 000004
【図３】
2017059349.tif 000005
【図４】
2017059349.tif 000006
【図５】
2017059349.tif 000007
【図６】
2017059349.tif 000008
【図７】
2017059349.tif 000009
【図８】
2017059349.tif 000010
【図９】
2017059349.tif 000011
【図１０】
2017059349.tif 000012
【図１１】
2017059349.tif 000013
【図１２】
2017059349.tif 000014